(57)【要約】【課題】細いハンドル体であっても操作性に優れ種々の把持方法にも対応可能な歯ブラシを提供する。【解決手段】ハンドル部３０は、植毛面１１と直交する正面視で長軸方向に沿って配置され、側面方向の幅が、両側で対称に連続的に変化する複数の側面側極大部と、側面側極大部の間に配置され側面方向の幅が、両側で対称に連続的に変化する側面側極小部と、側面視で長軸方向に沿って配置され、厚さが連続的に変化する複数の正面側極大部５１、５２と、正面側極大部の間に配置され厚さが連続的に変化する正面側極小部５３と、背面側におけるネック部２０とハンドル部との境界３１から後端側に略直線状に延びる第１ストレート部５４とを有する。ネック部は、背面側にヘッド部の後端から境界に向けて直線状に延びる第２ストレート部２２を有する。境界は、最も先端側に位置する正面側極大部よりも先端側に、厚さが連続的に変化する背面側極大部５５を有する。【選択図】図２
2019030583.tif 000002
【特許請求の範囲】
【請求項１】
長軸方向の先端側に配置され植毛面に毛束が植設されたヘッド部と、
該ヘッド部の後端側に延設されたネック部と、
該ネック部の後端側に延設されたハンドル部とを備え、
前記ハンドル部は、前記植毛面と直交する正面方向から視た正面視で前記長軸方向に沿って配置され、前記長軸方向及び前記正面方向と直交する側面方向の幅が、両側で対称に連続的に変化する複数の側面側極大部と、
前記側面側極大部の間に配置され前記側面方向の幅が、両側で対称に連続的に変化する側面側極小部と、
前記正面方向の前記植毛面側に、前記側面方向から視た側面視で前記長軸方向に沿って配置され、厚さが連続的に変化する複数の正面側極大部と、
前記正面側極大部の間に配置され前記厚さが連続的に変化する正面側極小部と、
前記正面方向の前記植毛面とは逆側の背面側における前記ネック部と前記ハンドル部との境界よりも前記後端側に配置され、前記境界から前記後端側に略直線状に延びるストレート部とを有し、
前記境界は、最も先端側に位置する前記正面側極大部よりも前記先端側に配置され、厚さが連続的に変化する背面側極大部を有することを特徴とする歯ブラシ。
【請求項２】
前記ハンドル部の外周面は、硬質樹脂で形成された硬質部と、軟質樹脂で形成された軟質部とを有し、
最も前記先端側に配置された前記正面側極大部は、前記軟質部を含むことを特徴とする請求項１記載の歯ブラシ。
【請求項３】
最も前記先端側に配置された前記正面側極大部の前記軟質部は、当該軟質部の周囲の前記硬質部よりも突出していることを特徴とする請求項２記載の歯ブラシ。
【請求項４】
最も前記先端側に配置された前記正面側極大部の前記軟質部は、前記長軸方向に間隔をあけて複数配置されていることを特徴とする請求項２または３に記載の歯ブラシ。
【請求項５】
前記ヘッド部の最小厚さは、２ｍｍ以上、４ｍｍ以下であり、
前記ネック部の前記正面方向の最小厚さ及び前記側面方向の最小幅は、それぞれ３．０ｍｍ以上、４．５ｍｍ以下であることを特徴とする請求項１から４のいずれか一項に記載の歯ブラシ。
【発明の詳細な説明】
【技術分野】
【０００１】
本発明は、歯ブラシに関するものである。
【背景技術】
【０００２】
一般的な歯ブラシは、毛束が植設されるヘッド部、使用時に把持されるハンドル部、及びヘッド部とハンドル部とを接続するネック部を備えるハンドル体と、ヘッド部の植毛面に用毛の毛束が植設されてなる植毛部とを備えるものである。
【０００３】
口腔内清掃器具である歯ブラシにおいては、最も必要な機能である清掃効果を高めるために、奥歯の歯面、咬合面、歯間部、歯頸部等の全ての清掃対象部位に対し植毛部を適切に当接させるには、ネック部を細くして、口腔内での操作性を高めることが有効とされている。ところが、単にネック部を細くして口腔内における歯ブラシの操作性を高めようとすると、ハンドル体の強度が不足したり、ネック部の撓み量が大きくなりすぎて、清掃効果が低下しやすい。
【０００４】
そこで、特許文献１には、ネック部の断面輪郭をヘッド部からハンドル部に向かうに従い特定の形状に変化させ、ネック部の撓み方向を段階的に規制することで、ネック部を細くしても、高い清掃効果が得られる歯ブラシが開示されている。
【先行技術文献】
【特許文献】
【０００５】
【特許文献１】特開２０１３−１１８９４４号公報
【発明の概要】
【発明が解決しようとする課題】
【０００６】
しかしながら、ネック部を含む細いハンドル体では、把持した際の十分なフィット感や安定感が得られず操作性が低下する可能性がある。そのため、ハンドル体を把持した際に滑りやすくなり、口中の所望部位にヘッド部を正確に挿入しづらくなったり、ブラッシング圧を適切にコントロールしづらいという問題が生じる。また、ハンドル体を把持する際には、例えば、ペングリップやパームグリップ等の把持方法を用いることがあるが、上記の歯ブラシではこのような把持方法には十分に対応しているとはいえない。
【０００７】
本発明は、以上のような点を考慮してなされたもので、細いハンドル体であっても操作性に優れ種々の把持方法にも対応可能な歯ブラシを提供することを目的とする。
【課題を解決するための手段】
【０００８】
本発明の第１の態様に従えば、長軸方向の先端側に配置され植毛面に毛束が植設されたヘッド部と、該ヘッド部の後端側に延設されたネック部と、該ネック部の後端側に延設されたハンドル部とを備え、前記ハンドル部は、前記植毛面と直交する正面方向から視た正面視で前記長軸方向に沿って配置され、前記長軸方向及び前記正面方向と直交する側面方向の幅が、両側で対称に連続的に変化する複数の側面側極大部と、前記側面側極大部の間に配置され前記側面方向の幅が、両側で対称に連続的に変化する側面側極小部と、前記正面方向の前記植毛面側に、前記側面方向から視た側面視で前記長軸方向に沿って配置され、厚さが連続的に変化する複数の正面側極大部と、前記正面側極大部の間に配置され前記厚さが連続的に変化する正面側極小部と、前記正面方向の前記植毛面とは逆側の背面側における前記ネック部と前記ハンドル部との境界よりも前記後端側に配置され、前記境界から前記後端側に略直線状に延びるストレート部とを有し、前記境界は、最も先端側に位置する前記正面側極大部よりも前記先端側に配置され、厚さが連続的に変化する背面側極大部を有することを特徴とする歯ブラシが提供される。
【０００９】
また、上記本発明の一態様に係る歯ブラシにおいて、前記ハンドル部の外周面は、硬質樹脂で形成された硬質部と、軟質樹脂で形成された軟質部とを有し、最も前記先端側に配置された前記正面側極大部は、前記軟質部を含むことを特徴とする。
【００１０】
また、上記本発明の一態様に係る歯ブラシにおいて、最も前記先端側に配置された前記正面側極大部の前記軟質部は、当該軟質部の周囲の前記硬質部よりも突出していることを特徴とする。
【００１１】
また、上記本発明の一態様に係る歯ブラシにおいて、最も前記先端側に配置された前記正面側極大部の前記軟質部は、前記長軸方向に間隔をあけて複数配置されていることを特徴とする。
【００１２】
また、上記本発明の一態様に係る歯ブラシにおいて、前記ヘッド部の最小厚さは、２ｍｍ以上、４ｍｍ以下であり、前記ネック部の前記正面方向の最小厚さ及び前記側面方向の最小幅は、それぞれ３．０ｍｍ以上、４．５ｍｍ以下であることを特徴とする。
【発明の効果】
【００１３】
本発明では、細いハンドル体であっても操作性に優れ種々の把持方法にも対応可能な歯ブラシを提供することが可能である。
【図面の簡単な説明】
【００１４】
【図１】本発明の実施の形態を示す図であって、歯ブラシ１の正面図である。
【図２】同歯ブラシ１の側面図である。
【図３】同歯ブラシ１の背面図である。
【発明を実施するための形態】
【００１５】
以下、本発明の歯ブラシの実施の形態を、図１ないし図３を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１６】
図１は、歯ブラシ１の正面図である。図２は、歯ブラシ１の側面図である。図３は、歯ブラシ１の背面図である。
【００１７】
本実施形態の歯ブラシ１は、長軸方向の先端側（以下、単に先端側と称する）に配置され用毛の毛束が植毛されたヘッド部１０と、ヘッド部１０の長軸方向後端側（以下、単に後端側と称する）に延設されたネック部２０と、ネック部２０の後端側に延設されたハンドル部３０（以下、ヘッド部１０とネック部２０とハンドル部３０とを合わせてハンドル体２と称する）とを備える。
【００１８】
ヘッド部１０は、厚さ方向の一方側に植毛面１１を有している。なお、以後、上記厚さ方向で植毛面１１側を、正面方向の正面側とし、植毛面と反対側を背面側とし、上記厚さ方向及び長軸方向と直交する方向を側面方向とする。植毛面１１には、植毛穴１２が複数形成されている。植毛穴１２には、用毛の毛束（図示せず）が植設されている。
【００１９】
ヘッド部１０の幅Ｗ１、すなわち正面側において植毛面１１と平行で、長軸方向と直交する側面方向の幅（以下、単に幅と称する）Ｗ１は、特に限定されず、例えば、７ｍｍ以上、１３ｍｍ以下が好ましい。上記下限値以上であれば、毛束を植設する面積を十分に確保でき、上記上限値以下であれば、口腔内での操作性をより高められる。
【００２０】
ヘッド部１０の長さＬ１は、特に限定されず、例えば、１０ｍｍ以上、３３ｍｍ以下が好ましい。長さＬ１が上記下限値以上であれば、毛束を植設する面積を十分に確保でき、上記上限値以下であれば、口腔内での操作性をより高められる。
ヘッド部１０の厚さｔ１は、材質等を勘案して決定でき、２．０ｍｍ以上、４．０ｍｍ以下が好ましい。厚さｔ１が上記下限値以上であれば、ヘッド部１０の強度をより高められ、上記上限値以下であれば、奥歯の奥への到達性を高められるとともに、口腔内での操作性をより高められる。
【００２１】
ネック部２０の長さＬ２は、ヘッド部１０を口腔内に挿入したときにネック部２０が唇に触れるために、４０ｍｍ以上、７０ｍｍ以下であることが好ましい。
ネック部２０の幅Ｗ２は、最小値となる位置から後端側に漸次大きくなるように形成されている。本実施形態におけるネック部２０は、幅Ｗ２が最小値となる位置２１から後端側に向かうのに従って漸次大きくなるように形成されている。また、ネック部２０は、厚さｔ２が、最小となる位置２１から後端側に向かうのに従って漸次大きくなるように形成されている。
【００２２】
最小となる位置２１における幅と厚みはいずれも３．０ｍｍ以上、４．５ｍｍ以下が好ましい。上記下限値以上であれば、ネック部２０の強度をより高められ、上記上限値以下であれば、唇が閉じやすく、また奥歯への到達性を高められるとともに、口腔内での操作性をより高められる。最小値となる位置２１から後端側に向かうのに従って漸次大きくなるように形成されているネック部２０の幅Ｗ２及び厚さｔ２は、材質等を勘案して決定できる。
【００２３】
本実施形態では、図２に示すように、ネック部２０の正面側は、植毛面１１と平行に延びている。また、ネック部２０の背面側は、ヘッド部１０の後端（位置２１）を起点として後端側に向かうのに従って、漸次植毛面１１とは離れる下方に向かって傾斜している。
【００２４】
背面側におけるネック部２０とハンドル部３０との境界３１は、側面視において境界３１よりも先端側に配置されて背面側に極率中心を有する曲面３２と、境界３１よりも後端側に配置されて背面側に曲率中心を有する曲面３３とが交差する箇所の稜線によって形成されている。曲面３２の先端側はネック部２０の背面側に接している。
【００２５】
正面側におけるネック部２０とハンドル部３０との境界３６は、側面視において、境界３６よりも先端側に配置され正面側に曲率中心を有する曲面３８と、境界３６よりも後端側に配置された背面側に曲率中心を有する曲面３７とが交差する箇所によって形成されている。曲面３７は、後述する第３極大部５１と接している。
【００２６】
ネック部２０の後端側の位置は、境界３１、３６によって定義される。長軸方向で境界３１、３６の位置が異なる場合、ネック部２０の長さＬ２は、位置２１からの距離が長い境界３１までの距離で定義される。なお、境界３１の詳細については後述する。
【００２７】
ハンドル部３０は、図１の正面視及び図３の背面視に示されるように、長軸方向に沿って配置され、側面方向の幅が、両側で対称に連続的に変化する複数（本実施形態では二つ）の第１極大部（側面側極大部）４１及び第２極大部（側面側極大部）４２と、第１極大部４１及び第２極大部４２の間に配置され側面方向の幅が、両側で対称に連続的に変化する第１極小部（側面側極小部）４３とを備えている。第１極大部４１及び第２極大部４２は、それぞれ中心Ｃからの距離が最大値となる長軸方向の位置に向かうのに従って中心Ｃからの距離が漸次増加する円弧輪郭を有している。第１極小部４３は、中心Ｃからの距離が、最小値となる長軸方向の位置に向かうのに従って中心Ｃからの距離が漸次減少する円弧輪郭を有している。
【００２８】
ハンドル部３０は、図２の側面視に示されるように、正面側において第１極大部４１及び第２極大部４２のそれぞれの長軸方向の位置近傍に配置され、厚さが連続的に変化する複数（本実施形態では二つ）の第３極大部（正面側極大部）５１及び第４極大部（正面側極大部）５２と、第３極大部５１及び第４極大部５２の間に配置され厚さが連続的に変化する第２極小部（正面側極小部）５３とを備えている。第３極大部５１及び第４極大部５２は、それぞれ厚さが最大値となる長軸方向の位置に向かうのに従って厚さが漸次増加する円弧輪郭を有している。第２極小部５３は、厚さが最小値となる長軸方向の位置に向かうのに従って厚さが漸次減少する円弧輪郭を有している。
【００２９】
第３極大部５１は、第１極大部４１よりも先端側に配置され指当て部となる。第４極大部５２は、第２極大部４２よりも先端側に配置されている。
【００３０】
ハンドル部３０は、背面側の境界３１よりも後端側に配置され、側面視において境界３１から後端側に向けて略直線状に延びるストレート部５４を有している。ストレート部５４の先端側は、曲面３３に接している。
【００３１】
図２に示すように、境界３１は、最も先端側に位置する第３極大部５１よりも先端側に配置されている。境界３１は、厚さが連続的に変化する第５極大部（背面側極大部）５５を有している。第５極大部５５は、上述した背面側に曲率中心を有する曲面３２、３３によって厚さが連続的に背面側に増加する形状に形成されている。
【００３２】
ハンドル部３０の長さＬ３は、特に限定されず、例えば、９０〜２００ｍｍとされる。
前記第１極大部４１および前記第２極大部４２の幅は、１０．５ｍｍ以上、１４ｍｍ以下が好ましい。前記第２極大部４２の幅は、前記第１極大部４１の幅よりも大きいことが好ましい。前記第１極小部４３の幅は、８．５ｍｍ以上、１０．５ｍｍ以下が好ましい。
第１極大部４１の幅と第１極小部４３の幅の差は１．５ｍｍ以上、３．０ｍｍ以下が好ましい。
第２極大部４２の幅と第１極小部４３の幅の差は２．５ｍｍ以上、４．５ｍｍ以下が好ましい。
「第１極大部４１の幅」／「第１極小部４３の幅」で表される比率は１．１以上、１．３以下が好ましい。
「第２極大部４２の幅」／「第１極小部４３の幅」で表される比率は１．３以上、１．５以下が好ましい。
前記第３極大部５１および前記第４極大部５２の厚みは、８ｍｍ以上、１１ｍｍ以下が好ましい。前記第４極大部５２の厚さは、前記第３極大部５１の厚さよりも大きいことが好ましい。前記第２極小部５３の幅は、６ｍｍ以上、８ｍｍ以下が好ましい。
第３極大部５１の厚みと第２極小部５３の厚みの差は１．５ｍｍ以上、３．０ｍｍ以下が好ましい。
第４極大部５２の厚みと第２極小部５３の厚みの差は２．５ｍｍ以上、４．５ｍｍ以下が好ましい。
「第３極大部５１の厚み」／「第２極小部５３の厚み」で表される比率は１．１以上、１．５以下が好ましい。
「第４極大部５２の厚み」／「第２極小部５３の幅」で表される比率は１．３以上、１．７以下が好ましい。
【００３３】
ハンドル体２は、全体として長尺状に一体成形されたものであり、例えば、樹脂を材料とし射出成形により得られるものである。ハンドル体２は、硬質樹脂で形成された硬質部と、軟質樹脂で形成された軟質部とを有している。ハンドル体２のうち、ヘッド部１０及びネック部２０は、硬質部で形成されている。
【００３４】
ハンドル体２のうち、ハンドル部３０は、正面側の第３極大部５１を含む位置に設けられた軟質部６１と、正面側の後端部から背面側の境界３１の近傍に跨って設けられた軟質部６２とを有している。
【００３５】
軟質部６１は、長軸方向に間隔をあけて配置された軟質部６１ａ、６１ｂ、６１ｃを有している。軟質部６１ａ〜６１ｃは、周囲の硬質部よりも、例えば、０．５ｍｍ程度突出して設けられている。前記突出の形状は、幅方向に溝を有する凹凸形状であってもよい。
【００３６】
硬質樹脂としては、一例として、曲げ弾性率（ＪＩＳ７１７１）が１０００ＭＰａ以上２２００ＭＰａ以下である樹脂が挙げられ、例えば、ポリプロピレン樹脂（ＰＰ）、ポリアセタール樹脂（ＰＯＭ）、ポリスチレン樹脂（ＰＳ）、ポリエチレンテレフタレート樹脂（ＰＥＴ）、ポリブチレンテレフタレート樹脂（ＰＢＴ）、アクリロニトリルブタジエンスチレン樹脂（ＡＢＳ）、ポレアリレート樹脂（ＰＡＲ）、ポリカーボネート樹脂（ＰＣ）、アクリロニトリルスチレン樹脂（ＡＳ）などが挙げられる。これらの中でも、コスト面を考慮すると汎用樹脂であるポリプロピレン樹脂が好ましい。
【００３７】
軟質樹脂としては、一例として、ショア硬度Ａが９０以下のものが好ましく、ショア硬度Ａが５０〜８０のものがより好ましい。軟質樹脂としては、例えば、エラストマー（例えば、オレフィン系エラストマー、スチレン系エラストマー、ポリエステル系エラストマー、ポリウレタン系熱可塑性エラストマー等）、シリコーンが挙げられる。
【００３８】
毛束は、複数の用毛を束ねたものである。植毛面１１から毛束の先端までの長さ（毛丈）は、毛束に求める毛腰等を勘案して決定でき、例えば、６〜１３ｍｍとされる。全ての毛束は同じ毛丈であってもよいし、相互に異なっていてもよい。
【００３９】
毛束の太さ（毛束径）は、毛束に求める毛腰等を勘案して決定でき、例えば、１〜３ｍｍとされる。全ての毛束は同じ毛束径であってもよいし、相互に異なっていてもよい。
【００４０】
毛束を構成する用毛としては、例えば、毛先に向かって漸次その径が小さくなり、毛先が先鋭化された用毛（テーパー毛）、植毛面１１から毛先に向かいその径がほぼ同一である用毛（ストレート毛）等が挙げられる。ストレート毛としては、毛先が植毛面１１に略平行な平面とされたものや、毛先が半球状に丸められたものが挙げられる。
【００４１】
用毛の材質は、例えば、６−１２ナイロン（６−１２ＮＹ）、６−１０ナイロン（６−１０ＮＹ）等のポリアミド、ポリエチレンテレフタレート（ＰＥＴ）、ポリブチレンテレフタレート（ＰＢＴ）、ポリトリメチレンテレフタレート（ＰＴＴ）、ポリエチレンナフタレート（ＰＥＮ）、ポリブチレンナフタレート（ＰＢＮ）等のポリエステル、ポリプロピレン（ＰＰ）等のポリオレフィン、ポリオレフィン系エラストマー、スチレン系エラストマー等のエラストマー樹脂等が挙げられる。これらの樹脂材料は、１種単独で又は２種以上を組み合わせて用いることができる。また、用毛としては、芯部と該芯部の外側に設けられた少なくとも１層以上の鞘部とを有する多重芯構造を有するポリエステル製用毛が挙げられる。
【００４２】
用毛の横断面形状は、特に限定されず、真円形、楕円形等の円形、多角形、星形、三つ葉のクローバー形、四つ葉のクローバー形等としてもよい。全ての用毛の断面形状は同じであってもよいし、異なっていてもよい。
【００４３】
用毛の太さは、材質等を勘案して決定でき、横断面が円形の場合、例えば、６〜９ｍｉｌ（１ｍｉｌ＝１／１０００ｉｎｃｈ＝０．０２５ｍｍ）とされる。また、使用感、刷掃感、清掃効果、耐久性等を考慮して、太さの異なる複数本の用毛を任意に組み合わせて用いてもよい。
【００４４】
上記歯ブラシをパームグリップまたはペングリップで握った際の作用について説明する。
（パームグリップの場合）
パームグリップで握る際は、ハンドル部３０に設けられた第１極小部４３及び第２極小部５３の周囲方向に中指を当接して把持することで、自然と第２極大部４２及び第４極大部５２の周囲方向に薬指と小指がフィットするように当接されて、安定した把持性が得られる。また、第１極大部４１及び第３極大部５１には、人差し指と親指が自然とフィットするように当接されるため、さらに安定した把持性が得られる。このように、細いハンドル体であっても把持した際に十分なフィット感と安定感が得られる。
【００４５】
また、ハンドル部３０の背面側に略ストレート部５４が設けられているため、正面と背面側がいずれも極大部で構成されている場合よりも指へのフィット感が過度にならず、細いハンドル体であっても把持した際に適度なフィット感が得られる。加えて、ストレート部５４の略延長線上にヘッド部１０が配置されているため、ハンドル部３０を把持した際のヘッド部１０との相対位置関係の誤差が少なくなり、口中の所望の部位にヘッド部１０を正確に挿入でき、狙った部位を磨きやすくなる。
【００４６】
（ペングリップの場合）
ペングリップで握る際は、ハンドル部３０に設けられた第１極大部４１及び第３極大部５１及びストレート部５４を親指と人差し指と中指で固定するように把持することで、前記極大部が当接した指に食い込むようにフィットでき、安定感が得られる。また、背面側におけるネック部２０とハンドル部３０との境界３１に第５極大部５５が設けられており、前記第５極大部５５は最も先端側の第３極大部５１よりも先端側に配置されていることで、当接した指が滑りにくくなる。このように、細いハンドル体であっても把持した際に十分なフィット感と安定感が得られる。
【００４７】
また、上記の歯ブラシ１においては、第３極大部５１に軟質部６１が周囲の硬質部よりも突出して設けられているため、指に食い込むようにフィットし、滑り止め効果（ブラッシング時の安定感）を一層向上させることができる。また、第３極大部５１に軟質部６１が配置されていることにより、指あて位置およびブラシの届く位置の視認性、触感認識性が向上する。さらに、上記の歯ブラシ１においては、軟質部６１が長軸方向に間隔をあけて複数配置されているため、指当て位置を適宜選択することで、一定の力の入れ方でも歯や歯ぐきにかかるブラッシング圧を容易にコントロールできる。
【００４８】
また、前記第５極大部５５を有することで、ネック部２０は、ヘッド部１０からハンドル部３０に向かって漸次厚くなっていることから、ヘッド部１０に下側への荷重が加わった際に撓み難くなる。そのため、本実施形態の歯ブラシ１においては、ネック部２０の適度な撓みによりブラッシング圧を適度にコントロールできる。
【００４９】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００５０】
例えば、上記実施形態では、歯ブラシ１が硬質部及び軟質部を備える構成を例示したが、この構成に限定されず、硬質部のみを備える構成であっても本発明を適用可能である。
【００５１】
また、上記実施形態では、軟質部６１が三つの軟質部６１ａ〜６１ｃを有する構成を例示したが、軟質部は、一つ〜二つ、又は四つ以上であってもよい。また、上記実施例では、軟質部６１の形状は３つとも楕円形状であるが、円形、多角形であってもよく、異なる形状の組合せでもよい。
【００５２】
また、上記実施形態では、二つの第１極大部４１、第２極大部４２及び二つの第３極大部５１、第４極大部５２がそれぞれ設けられる構成を例示したが、この構成に限定されず、ぞれぞれ三つ以上が設けられる構成であってもよい。この場合、隣り合う第１極大部及び第２極大部の間に第１極小部を配置し、隣り合う第３極大部及び第４極大部の間に第２極小部を配置すればよい。
【符号の説明】
【００５３】
１…歯ブラシ、  １０…ヘッド部、  ２０…ネック部、  ３０…ハンドル部、  ４１…第１極大部（側面側極大部）、  ４２…第２極大部（側面側極大部）、  ４３…第１極小部（側面側極小部）、  ５１…第３極大部（正面側極大部）、  ５２…第４極大部（正面側極大部）、  ５３…第２極小部（正面側極小部）、  ５４…ストレート部、  ５５…第５極大部（背面側極大部）、  ６１、６１ａ〜６１ｃ…軟質部、  Ｃ…幅方向中心
【図１】
2019030583.tif 000003
【図２】
2019030583.tif 000004
【図３】
2019030583.tif 000005